Podtech/llm-jp-corpus-v4-ja_patent huggingface dataset:
【手続補正書】
【提出日】平成20年6月25日(2008.6.25)
【手続補正１】
【補正対象書類名】特許請求の範囲
【補正対象項目名】全文
【補正方法】変更
【補正の内容】
【特許請求の範囲】
【請求項１】
端末（ＳＴＡ）からサービングアクセスポイント（ＡＰ）に、無線ネットワークにおけるハンドオーバ候補のリストを通信する方法であって、
前記方法は、
前記端末においてハンドオーバ候補のＡＰのリストを生成するステップと、
前記端末において前記候補リストをソーティングするステップと、
前記ソート済みの候補リストを前記端末から前記サービングＡＰに送信するステップと
を含むことを特徴とする方法。
【請求項２】
前記生成するステップは、前記端末によって行われる測定に基づいてハンドオーバ候補のＡＰを選択するステップをさらに含むことを特徴とする請求項１に記載の方法。
【請求項３】
前記生成するステップは、ハンドオーバ候補のＡＰの固定リストを使用するステップをさらに含むことを特徴とする請求項１に記載の方法。
【請求項４】
前記生成するステップは、前記端末がネットワーク上の他のエンティティから前記候補リストを受信するステップをさらに含むことを特徴とする請求項１に記載の方法。
【請求項５】
前記ソーティングするステップは、前記端末において行われる測定に従って前記候補リストをソーティングするステップをさらに含むことを特徴とする請求項１に記載の方法。
【請求項６】
前記ソーティングするステップは、前記リスト上の各ハンドオーバ候補のＡＰに関連するメトリクスに従って前記候補リストをソーティングするステップをさらに含むことを特徴とする請求項１に記載の方法。
【請求項７】
前記送信するステップは、予め定められた期間の後に前記候補リストを前記サービングＡＰに送信するステップをさらに含むことを特徴とする請求項１に記載の方法。
【請求項８】
前記予め定められた期間は、０．１秒から１０秒の間であることを特徴とする請求項７に記載の方法。
【請求項９】
前記送信するステップは、イベントトリガーに応答して、前記候補リストを前記サービングＡＰに送信するステップをさらに含むことを特徴とする請求項１に記載の方法。
【請求項１０】
前記イベントトリガーは、前記端末がハンドオーバをトリガーすることをさらに含むことを特徴とする請求項９に記載の方法。
【請求項１１】
前記イベントトリガーは、前記端末と前記サービングＡＰとの間の無線リンクの品質が予め定められた閾値を下回ることを含むことを特徴とする請求項９に記載の方法。
【請求項１２】
前記イベントトリガーは、前記端末が前記ハンドオーバ候補のＡＰのリスト上のＡＰを前記サービングＡＰよりも品質の高い無線リンクと同一視することを含むことを特徴とする請求項９に記載の方法。
【請求項１３】
前記イベントトリガーは、前記端末が前記サービングＡＰから他のＡＰに向かって移動することを含むことを特徴とする請求項９に記載の方法。
【請求項１４】
前記サービングＡＰから前記候補リストの要求を受信するステップをさらに含むことを特徴とする請求項１に記載の方法。
【請求項１５】
前記サービングＡＰからパラメータ及びハンドオーバ要求についての要求を受信するステップをさらに含むことを特徴とする請求項１４に記載の方法。
【請求項１６】
無線ネットワークにおいてハンドオーバ情報を交換するように構成された端末（ＳＴＡ）であって、
アンテナと、
前記アンテナを介して前記ネットワークと通信するように構成された送信機／受信機と、
前記送信機／受信機と通信するように構成され、ハンドオーバ候補のアクセスポイント（ＡＰ）のリストを生成するように構成されたハンドオーバ候補リスト生成装置と、
前記ハンドオーバ候補リスト生成装置及び前記送信機／受信機と通信するように構成され、前記ハンドオーバ候補リスト生成装置から前記ハンドオーバ候補のＡＰのリストを受信して前記ハンドオーバ候補のＡＰのリストをソートするように構成されたハンドオーバ候補リストソーティング装置と、
前記ハンドオーバ候補リスト生成装置及び前記送信機／受信機と通信するように構成され、前記ハンドオーバ候補リスト生成装置からハンドオーバ候補のＡＰのリストを受信して前記ハンドオーバ候補のＡＰのリストのアクセスポイントの測定を行うように構成された候補リスト測定装置と、
前記送信機／受信機と通信するように構成され、ハンドオーバの開始を要求するように構成されたハンドオーバ要求開始装置と
を備えたことを特徴とする端末。
【手続補正書】
【提出日】平成20年3月28日(2008.3.28)
【手続補正１】
【補正対象書類名】特許請求の範囲
【補正対象項目名】請求項１９
【補正方法】変更
【補正の内容】
【請求項１９】
請求項１６または１７に記載の以下の配列：
【表１６】
2008506357.tif 000001
（式中、
アミノ酸Ｘ１およびアミノ酸Ｘ２は変異しており、Ｙ１〜Ｙ１２は、任意のアミノ酸を示す）
を実質的に含む、野生型ＥＮＶタンパク質の変異から得られた変異ＥＮＶタンパク質（ただし、前記変異ＥＮＶタンパク質は、野生型ＥＮＶタンパク質に対して低下した免疫抑制活性を有する）、
あるいは、その断片（ただし、前記断片は、変異アミノ酸Ｘ１およびＸ２を有し、前記変異ＥＮＶタンパク質と類似した免疫抑制活性を有し、場合により、その抗原性構造は、前記変異ＥＮＶタンパク質において採用されている構造と実質的に類似している）、
あるいは、少なくとも１アミノ酸の挿入、欠失、または置換により、前記変異ＥＮＶタンパク質またはその断片から得られたタンパク質（ただし、前記の得られたタンパク質は、変異アミノ酸Ｘ１およびＸ２を有し、前記変異ＥＮＶタンパク質と類似した免疫抑制活性を有し、場合により、その抗原性構造は、前記変異ＥＮＶタンパク質またはその断片の構造と実質的に類似している）。
【手続補正書】
【提出日】平成20年6月23日(2008.6.23)
【手続補正１】
【補正対象書類名】特許請求の範囲
【補正対象項目名】全文
【補正方法】変更
【補正の内容】
【特許請求の範囲】
【請求項１】
組換え免疫グロブリンまたはそのフラグメントの発現のためのアデノ随伴ウイルス（ＡＡＶ）であって、
５’から３’の方向に向かって、
プロモーターと；
（１）該免疫グロブリン分子の重鎖またはそのフラグメントのコード配列、
（２）フリン切断部位のコード配列、
（３）２Ａ自己プロセシング切断部位のコード配列、および
（４）免疫グロブリンの軽鎖またはそのフラグメントのコード配列、
とを含み、該プロモーターは、該（１）〜（４）のすべてに作動可能に連結されており、
該組換え免疫グロブリンまたはそのフラグメントは抗原に結合する、
ベクター。
【請求項２】
前記２Ａ自己プロセシング切断部位のコード配列が口蹄疫ウイルス（ＦＭＤＶ）配列である、請求項１に記載のベクター。
【請求項３】
請求項２に記載のベクターであって、前記２Ａ自己プロセシング切断部位のコード配列は、配列番号１、配列番号２、配列番号３、配列番号４、配列番号５、配列番号６、配列番号７、配列番号８および配列番号９からなる群より選択されるオリゴペプチドをコードする、ベクター。
【請求項４】
前記さらなるタンパク質分解的切断部位が、コンセンサス配列ＲＸＫ（Ｒ）Ｒ（配列番号１０）を有しているフリン切断部位である、請求項１に記載のベクター。
【請求項５】
請求項４に記載のベクターであって、前記フリン切断部位のコード配列は、配列番号１５、配列番号１６、配列番号１７、および配列番号１８からなる群より選択されるオリゴペプチドをコードする、ベクター。
【請求項６】
請求項１に記載のベクターであって、前記プロモーターは、伸長因子１−αプロモーター（ＥＦ１−α）プロモーター、ホスホグリセリン酸キナーゼ−１プロモーター（ＰＧＫ）プロモーター、サイトメガロウイルス前初期遺伝子プロモーター（ＣＭＶ）、キメラ肝臓特異的プロモーター（ＬＳＰ）、サイトメガロウイルスエンハンサー／ニワトリβ−アクチンプロモーター（ＣＡＧ）、テトラサイクリン反応性プロモーター（ＴＲＥ）、トランスサイレチンプロモーター（ＴＴＲ）、シミアンウイルス４０プロモーター（ＳＶ４０）、およびＣＫ６プロモーターからなる群より選択される、ベクター。
【請求項７】
前記プロモーターがＣＡＧハイブリッドプロモーター／エンハンサーである、請求項６に記載のベクター。
【請求項８】
前記プロモーターが伸長因子１−α（ＥＦ１α）プロモーターである、請求項６に記載のベクター。
【請求項９】
前記免疫グロブリンの重鎖またはそのフラグメントのコード配列と、前記免疫グロブリンの軽鎖またはそのフラグメントのコード配列とが、等モル比またはほぼ等しいモル比で発現させられる、請求項１に記載のベクター。
【請求項１０】
前記ＡＡＶベクターがＡＡＶ６ベクターである、請求項１に記載のベクター。
【請求項１１】
前記ＡＡＶベクターがＡＡＶ８ベクターである、請求項１に記載のベクター。
【請求項１２】
請求項１に記載のベクターで形質導入された細胞によって産生された、組換え免疫グロブリンまたはそのフラグメント。
【請求項１３】
請求項７に記載のベクターで形質導入された細胞によって産生された、組換え免疫グロブリンまたはそのフラグメント。
【請求項１４】
請求項１に記載のベクターで形質導入された、宿主細胞。
【請求項１５】
請求項７に記載のベクターで形質導入された、宿主細胞。
【請求項１６】
組換え免疫グロブリンまたはそのフラグメントを産生するための方法であって、該方法は、
ａ）宿主細胞を請求項１に記載のベクターで形質導入する工程；および
ｂ）該形質導入された宿主細胞中で該組換え免疫グロブリンまたはそのフラグメントを発現させる工程であって、前記免疫グロブリンの重鎖またはそのフラグメトのコード配列と前記免疫グロブリンの軽鎖またはそのフラグメントのコード配列とが、実質的に等モル比で発現させられる工程、
を包含する、方法。
【請求項１７】
前記２Ａ配列が口蹄疫ウイルス（ＦＭＤＶ）配列である、請求項１６に記載の方法。
【請求項１８】
請求項１７に記載の方法であって、前記２Ａ自己プロセシング切断部位のコード配列は、配列番号１、配列番号２、配列番号３、配列番号４、配列番号５、配列番号６、配列番号７、配列番号８および配列番号９からなる群より選択されるオリゴペプチドをコードする、方法。
【請求項１９】
前記さらなるタンパク質分解的切断部位が、コンセンサス配列ＲＸＫ（Ｒ）Ｒ（配列番号１０）を有しているフリン切断部位である、請求項１６に記載の方法。
【請求項２０】
請求項１９に記載の方法であって、前記フリン切断部位のコード配列は、配列番号１５、配列番号１６、配列番号１７、および配列番号１８からなる群より選択されるオリゴペプチドをコードする、方法。
【請求項２１】
組換え免疫グロブリンまたはそのフラグメントをインビボで発現させるための組成物であって、
請求項１に記載のベクター
を含み、該ベクターが、門脈注射、筋肉内注射、腫瘍内注射、および腹腔内注射からなる群より選択される経路によって投与されることを特徴とする、組成物。
【請求項２２】
前記組換え免疫グロブリンまたはそのフラグメントが、少なくとも３ヶ月間インビボで発現させられる全長組換え免疫グロブリンである、請求項２１に記載の組成物。
【請求項２３】
前記組換え免疫グロブリンまたはそのフラグメントが、少なくとも１ｍｇ／ｍｌのレベルで発現させられる全長組換え免疫グロブリンである、請求項２１に記載の組成物。
【手続補正書】
【提出日】平成20年6月13日(2008.6.13)
【手続補正１】
【補正対象書類名】特許請求の範囲
【補正対象項目名】請求項４２
【補正方法】変更
【補正の内容】
【請求項４２】
前記デフォルト符号器（６００）は：
‐前記画像ブロック（８００）の前記画像要素（８１０）の色の表現である第１の色符号語（９１０Ａ）及び第２の色符号語（９２０Ａ）を決定する手段（６１０）と；
‐前記画像ブロック（８００）の前記画像要素（８１０）の輝度を変更するための複数の輝度変更子のセットの表現である第１の輝度符号語（９３０Ａ）及び第２の輝度符号語（９４０Ａ）を提供する手段（６２０）と；
‐前記画像ブロック（８００）の各画像要素（８１０）について、前記輝度変更子セットから輝度変更子に関連付けられた輝度インデックスを選択する選択器（６３０）と
を含むことを特徴とする請求項３７乃至４１のいずれか１項に記載のシステム。
【手続補正書】
【提出日】平成20年5月27日(2008.5.27)
【手続補正１】
【補正対象書類名】特許請求の範囲
【補正対象項目名】全文
【補正方法】変更
【補正の内容】
【特許請求の範囲】
【請求項１】
パクセルの独立した積分時間制御と、前記パクセルの正確な積分時間をそれらの飽和レベルに基づいて決定するためのアルゴリズムとを可能にする撮像装置を有する電子画像捕捉システム。
【請求項２】
パクセルの独立した積分時間制御と、前記パクセルの正確な積分時間を捕捉画像内でのそれらの地理的位置に基づいて決定するためのアルゴリズムとを可能にする粗解像度撮像装置を有する、請求項１記載の電子画像捕捉システム。
【請求項３】
前記撮像装置は、カメラの露出決定アルゴリズムのために場面露出情報を集める、ことを特徴とする請求項２記載の電子画像捕捉システム。
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
化合物またはその代謝産物を、フレーバーまたは香料として、またはフレーバーもしくは香料の前駆体として、または香料もしくはフレーバーの知覚のモジュレーターとして、またはかかる化合物に対する手掛かりとして同定する方法であって、最初のステップとして、
ａ）化合物と、デヒドロゲナーゼ、シトクロムＰ４５０酵素、エポキシドヒドロラーゼ、エステラーゼ、フラビン含有モノオキシゲナーゼ、グルタチオンペルオキシダーゼ、グルタチオンシンターゼ、グルタチオンＳ−トランスフェラーゼ、オキシダーゼ、レダクターゼ、ロダネーゼ、スルファターゼ、スルホトランスフェラーゼ、ＵＤＰ−グルクロノシルトランスフェラーゼ、カルボキシルエステラーゼからなる群から選択される少なくとも１種の代謝酵素、またはこれらの混合物との反応；および次のステップにおいて、
ｂ）前記化合物またはその代謝産物の少なくとも１種を、香料またはフレーバーとして、またはフレーバーもしくは香料の前駆体として、または香料もしくはフレーバーの知覚のモジュレーターとして、またはこれらの対応する手掛かりとして、化学受容体を用いて同定すること、
を含む、前記方法。
【請求項２】
代謝酵素がシトクロムＰ４５０酵素である、請求項１に記載の方法。
【請求項３】
代謝酵素が、ＣＹＰ２Ａ１３、ＣＹＰ２Ｅ１、カルボキシルエステラーゼ、アルコールデヒドロゲナーゼ、エポキシドヒドロラーゼからなる群、またはこれらの混合物から選択される、請求項１に記載の方法。
【請求項４】
ｂ）が、in vitro化学受容体スクリーンの方法により実施される、請求項１、２または３に記載の方法。
【請求項５】
ｂ）が、代替的または付加的に、１または２以上のヒト被験者を用いる官能試験法により実施される、請求項１、２または３に記載の方法。
【請求項６】
用いる受容体が、嗅覚受容体、味覚受容体、および冷感受容体からなる群から選択される、請求項１〜５のいずれかに記載の方法。
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
ａ）１−ブテンのアタクチックホモポリマーから、または、エチレン、プロピレンおよび式ＣＨ２＝ＣＨＺ（式中、ＺはＣ３−Ｃ１０アルキル基である）で表されるα−オレフィンから選択される１種以上のα−オレフィンを５０ｍｏｌ％以下含む１−ブテンのアタクチックコポリマーから選択されるアタクチック１−ブテンベースのポリマーを５重量％〜９５重量％、該アタクチック１−ブテンベースのポリマーは以下の特性；すなわち、
ｉ）４以下の分子量分布Ｍｗ／Ｍｎ；
ｉｉ）１３Ｃ−ＮＭＲで測定されたｒｒトライアッド５％〜５０％；
ｉｉｉ）示差走査熱量計（ＤＳＣ）で検出可能な融解エンタルピーが認められない；
ｉｖ）１３５℃でテトラヒドロナフタレン（ＴＨＮ）中で測定した場合、０．８５  ｄｌ／ｇ〜５．０ｄｌ／ｇの固有粘度（Ｉ．Ｖ．）；および
ｖ）０．５％未満の赤外結晶化度を有する；
ｂ）１−ブテンのアイソタクチックホモポリマー、エチレン誘導単位を５モル％以下含む１−ブテンのアイソタクチックコポリマー、プロピレン誘導単位を５０モル％以下含む１−ブテンのアイソタクチックコポリマー、または、α−オレフィンの誘導単位を２０モル％以下含む１−ブテンと式ＣＨ２＝ＣＨＺ（式中、ＺはＣ３−Ｃ１０アルキル基である）で表される１種以上の該α−オレフィンとのアイソタクチックコポリマーから選択される５〜９５重量％のアイソタクチック１−ブテンベースのポリマー、該アイソタクチック１−ブテンベースのポリマーは以下の特性：すなわち、
ｉ）１３Ｃ−ＮＭＲによって測定されるアイソタクチックペンタッド（ｍｍｍｍ）８０％超；
ｉｉ）８０℃を超える融点；および
ｉｉｉ）１３５℃でテトラヒドロナフタレン（ＴＨＮ）中で測定した場合、０．１ｄｌ／ｇ〜５ｄｌ／ｇの固有粘度（Ｉ．Ｖ．）を有する；
を含む１−ブテンポリマー組成物。
【請求項２】
成分ａ）が２０重量％〜８０重量％であり、そして、成分ｂ）が８０重量％〜２０重量％である請求項１に記載の１−ブテンポリマー組成物。
【請求項３】
ａ）少なくとも１種の遷移金属有機化合物を含む触媒系の存在下における重合条件下で１種以上のモノマーを接触させることによって、請求項１記載の特性を有する、１−ブテンのアタクチックホモポリマー、または、エチレン、プロピレンおよび式ＣＨ２＝ＣＨＺ（式中、ＺはＣ３−Ｃ１０アルキル基である）で表されるα−オレフィンから選択される１種以上のα−オレフィンを５０ｍｏｌ％以下含む１−ブテンのアタクチックコポリマーから選択される１−ブテンベースのポリマーを５重量％〜９５重量％；および
ｂ）少なくとも１種の遷移金属有機化合物を含む触媒系の存在下における重合条件下で１種以上のモノマーを接触させることによって、請求項１記載の特性を有する、１−ブテンのアイソタクチックホモポリマー、エチレン誘導単位を５モル％以下含む１−ブテンのアイソタクチックコポリマー、プロピレン誘導単位を５０モル％以下含む１−ブテンのアイソタクチックコポリマー、または、α−オレフィンの誘導単位を２０モル％以下含む１−ブテンと式ＣＨ２＝ＣＨＺ（式中、ＺはＣ３−Ｃ１０アルキル基である）で表される１種以上の該α−オレフィンとのアイソタクチックコポリマーから選択される５〜９５重量％のアイソタクチック１−ブテンベースのポリマー
を得る工程を含み、且つ
成分ａ）およびｂ）が、同じ反応器で同時に得られることを特徴する、請求項１または２に記載の１−ブテンポリマー組成物を製造する方法。
【請求項４】
該組成物の分子量分布（Ｍｗ／Ｍｎ）が、３．５未満である請求項３記載の方法によって得ることができる請求項１または２に記載の１−ブテンポリマー組成物。
【手続補正書】
【提出日】平成20年7月9日(2008.7.9)
【手続補正１】
【補正対象書類名】特許請求の範囲
【補正対象項目名】全文
【補正方法】変更
【補正の内容】
【特許請求の範囲】
【請求項１】
光潜在性触媒（ａ）の適用方法であって、前記触媒を含む組成物を、後続処理する前に照射に付し、光潜在性触媒が、
（ａ１）式ＶＩ：
【化１】
2008506826.tif 000001
（式中、Ｒa2は、直接結合、Ｓ、Ｏ、ＣＨ2、（ＣＨ2）2、ＣＯ又はＮＲ96であり；
Ｒa3、Ｒa4、Ｒa5、及びＲa6は、互いに独立して、Ｈ、Ｃ1〜Ｃ20アルキル、Ｃ3〜Ｃ8シクロアルキル、Ｃ1〜Ｃ20アルコキシ、Ｃ2〜Ｃ20アルケニル、ＣＮ、ＯＨ、ハロゲン、Ｃ1〜Ｃ6アルキルチオ、フェニル、ナフチル、フェニル−Ｃ1〜Ｃ7アルキル、ナフチル−Ｃ1〜Ｃ3アルキル、フェノキシ、ナフチルオキシ、フェニル−Ｃ1〜Ｃ7アルキルオキシ、ナフチル−Ｃ1〜Ｃ3アルキルオキシ、フェニル−Ｃ2〜Ｃ6アルケニル、ナフチル−Ｃ2〜Ｃ4アルケニル、Ｓ−フェニル、（ＣＯ）Ｒa8、Ｏ（ＣＯ）Ｒa8、（ＣＯ）ＯＲa8、ＳＯ2Ｒa8、ＯＳＯ2Ｒa8であり；
Ｒa7は、Ｃ1〜Ｃ20アルキル、Ｃ1〜Ｃ20ヒドロキシアルキル、
【化２】
2008506826.tif 000002
であり；
Ｒa8は、Ｈ、Ｃ1〜Ｃ12アルキル、Ｃ1〜Ｃ12ヒドロキシアルキル、フェニル、ナフチル又はビフェニリルであり；
Ｒa9は、直接結合、Ｓ、Ｏ又はＣＨ2であり；
Ｒa10、Ｒa11、Ｒa12、及びＲa13は、互いに独立して、Ｒa3について示した意味の一つを有するか；又はＲa10及びＲa12は、結合してこれらが結合したベンゼン環と共に縮合環系を形成し、
Ｒa14は、
【化３】
2008506826.tif 000003
であり；
Ｚは、アニオン、特にＰＦ6、ＳｂＦ6、ＡｓＦ6、ＢＦ4、（Ｃ6Ｆ5）4Ｂ、Ｃｌ、Ｂｒ、ＨＳＯ4、ＣＦ3−ＳＯ3、Ｆ−ＳＯ3、
【化４】
2008506826.tif 000004
、ＣＨ3−ＳＯ3、ＣｌＯ4、ＰＯ4、ＮＯ3、ＳＯ4、ＣＨ3−ＳＯ4、
【化５】
2008506826.tif 000005
である）
の光潜在性酸であるか；
又は光潜在性酸（ａ１）が、芳香族ホスホニウム塩、芳香族ヨードニウム塩又はオキシム系光潜在性酸よりなる群から選択される化合物であるか；あるいは
（ａ２）光潜在性塩基化合物（ただし組成物がチオールと組み合わせてイソシアネートを含む場合、（３，４−ジメトキシ−ベンゾイル）−１−ベンジル−１−ジメチルアミノプロパンを除く）であることを特徴とする方法。
【請求項２】
（Ａ）光潜在性触媒（ａ）が光潜在性酸（ａ１）であり、かつ組成物が酸触媒硬化性化合物（ｂ）を含むか、又は
（Ｂ）光潜在性触媒（ａ）が光潜在性塩基（ａ２）であり、かつ組成物が塩基触媒硬化性化合物（ｃ）を含むか、又は
（Ｃ）光潜在性触媒（ａ）が少なくとも１種の光潜在性塩基触媒（ａ２）と少なくとも１種の光潜在性酸触媒（ａ１）との混合物であり、かつ組成物が酸触媒硬化性化合物（ｂ）と塩基触媒硬化性化合物（ｃ）との混合物を含むが、ただし（ａ１）及び（ａ２）が選択的に活性化される、
請求項１記載の方法。
【請求項３】
光触媒を含む組成物が、さらに染料又は顔料（ｇ）を含む、請求項１記載の方法。
【請求項４】
請求項１記載の光潜在性触媒（ａ）の適用方法であって、前記触媒を含む組成物を、後続処理する前に照射に付し、組成物が、イソシアネートと組み合わせたポリオール、そして光潜在性触媒として式ＶＩＩＩ、ＶＩＩＩａ、及びＶＩＩＩｂ：
【化６】
2008506826.tif 000006
（式中、ｒは、０又は１であり；
Ｘ4は、ＣＨ2又はＯであり；
Ｒ2及びＲ3は、互いに独立して、水素又はＣ1〜Ｃ20アルキルであり；
Ｒ1は、非置換の、又はＣ1〜Ｃ12アルキル−若しくはＣ1〜Ｃ12アルコキシ−置換のフェニル、ナフチル又はビフェニリルであり；
Ｒ20、Ｒ30、及びＲ40は、結合する窒素原子と一緒になって、構造式：
【化７】
2008506826.tif 000007
の基であり；
Ｒ50は、水素又はＣ1〜Ｃ18アルキルであり、
アニオンは、塩を形成する能力がある任意のアニオンであり；そして
ｍは、分子内の正に帯電したＮ原子の数である）の光潜在性塩基（ａ２）を含むラッカー配合物である方法。
【請求項５】
請求項１記載の光潜在性触媒（ａ）の適用方法であって、前記触媒を含む組成物を、後続処理する前に照射に付し、組成物が、エポキシド成分及び光潜在性触媒として式ＶＩＩＩａ：
【化８】
2008506826.tif 000008
（式中、ｒは、０又は１であり；
Ｘ4は、ＣＨ2又はＯであり；
Ｒ1は、非置換の、又はＣ1〜Ｃ12アルキル−若しくはＣ1〜Ｃ12アルコキシ−置換のフェニル、ナフチル、又はビフェニリルであり；
Ｒ20、Ｒ30、及びＲ40は、結合する窒素原子と一緒になって、構造式：
【化９】
2008506826.tif 000009
の基であり；
Ｒ50は、水素又はＣ1〜Ｃ18アルキルであり、
Ｒ35は、水素又はＣ1〜Ｃ18アルキルであり；
アニオンは、塩を形成する能力がある任意のアニオンであり；そして
ｍは、分子内の正に帯電したＮ原子の数である）の光潜在性塩基（ａ２）を含むラッカー配合物である方法。
【請求項６】
組成物が接着剤である、請求項１記載の光潜在性触媒（ａ）の適用方法。
【請求項７】
光潜在性触媒が光潜在性塩基（ａ２）であり、かつ組成物が塩基触媒硬化性化合物（ｃ）である、請求項６記載の方法。
【請求項８】
後続処理が、照射した組成物の基材への塗布、場合により、次いで、コーティングされた基材のさらなる機械的加工工程；フォームの製造；ポリマーの製造；繊維の製造；ゲルコートの製造；複合材料の製造、接着剤の製造、クリヤコーティング若しくは着色コーティング、印刷インク、インクジェットインクの製造、又はさらなる材料が組み込まれたコーティングの製造を包含する、請求項１記載の方法。
【請求項９】
繰り返して適用する請求項１記載の方法であって、各繰り返し工程における光触媒が、同一又は他の工程と異なり、そして独立して光潜在性酸及び／又は光潜在性塩基のいずれかである方法。
【請求項１０】
組成物を貯蔵槽中で直接に照射し、続けて後続処理に付す、請求項１記載の方法。
【請求項１１】
後続処理が、ＵＶ光及び／又は熱を用いるさらなる硬化工程である、請求項１記載の方法。
【請求項１２】
請求項１記載の方法の組成物で覆われた基材。
【請求項１３】
光潜在性触媒（ａ）の適用方法であって、前記触媒を含む組成物を、後続処理する前に照射に付し、後続処理がフォームの製造にあり、組成物がポリオール及びイソシアネート成分及び光潜在性触媒として光潜在性塩基（ａ２）を含むことを特徴とする方法。
【手続補正書】
【提出日】平成20年5月28日(2008.5.28)
【手続補正１】
【補正対象書類名】特許請求の範囲
【補正対象項目名】全文
【補正方法】変更
【補正の内容】
【特許請求の範囲】
【請求項１】
下記により得ることのできる触媒系の存在下で、１−ブテン及び場合によりエチレン、プロピレン又は式ＣＨ２＝ＣＨＺ（式中、ＺはＣ３−Ｃ１０アルキル基）の１種以上のαオレフィン類を重合させる工程を含む１−ブテンポリマーの製造方法であって、前記触媒系は、
ａ）  メソ体又はメソ−様体の式（Ｉａ）の、少なくとも１種のメタロセン化合物
【化１】
2008506825.tif 000001
［式中、Ｍは、元素の周期律表で３、４、５、６族又はランタノイド若しくはアクチノイド族に属するものから選択され、
ｐは０〜３の整数であり、金属Ｍマイナス２のホルマール酸化状態に等しく、
Ｘは、同じ又は異なり、水素原子、ハロゲン原子、又はＲ、ＯＲ、ＯＳＯ２ＣＦ３、ＯＣＯＲ、ＳＲ、ＮＲ２若しくはＰＲ２基であり、ここで、Ｒは直線状若しくは分枝状、環式若しくは非環式、Ｃ１−Ｃ４０−アルキル、Ｃ２−Ｃ４０−アルケニル、Ｃ２−Ｃ４０−アルキニル、Ｃ６−Ｃ４０−アリール、Ｃ７−Ｃ４０−アルキルアリール又はＣ７−Ｃ４０−アリールアルキル基であり、場合により、元素の周期律表の１３〜１７族に属するヘテロ原子を含有してもよく、あるいは２個のＸは、場合により、置換若しくは非置換ブタジエニル基若しくはＯＲ’Ｏ基を形成でき（ここで、Ｒ’はＣ１−Ｃ４０アルキリデン、Ｃ６−Ｃ４０アリーリデン、Ｃ７−Ｃ４０アルキルアリーリデン及びＣ７−Ｃ４０アリールアルキリデン基から選択される二価の基である）； 
Ｌは、場合により、元素の周期律表の１３〜１７族に属するヘテロ原子を含有してもよい、二価Ｃ１−Ｃ４０炭化水素基、又は５個までの珪素原子を含有する二価シリレン基であり； 
Ｒ１及びＲ２は、等しいか又は互いに異なり、Ｃ１−Ｃ４０炭化水素基であり、場合により、元素の周期律表の１３〜１７族に属するヘテロ原子を含有でき； 
Ｔは、等しいか又は互いに異なり、式(IIa)、(IIb)又は(IIc)の成分であり：
【化２】
2008506825.tif 000002
ここで、記号＊を記した原子は式(Ia)の化合物の同じ記号を記した原子と結合し；
Ｒ３はＣ１−Ｃ４０炭化水素基であり、場合により、元素の周期律表の１３〜１７族に属するヘテロ原子を含有でき； 
Ｒ４及びＲ６は、等しいか又は互いに異なり、水素原子又はＣ１−Ｃ４０炭化水素基であり、場合により、元素の周期律表の１３〜１７族に属するヘテロ原子を含有でき； 
Ｒ５はＣ１−Ｃ４０炭化水素基であり、場合により、元素の周期律表の１３〜１７族に属するヘテロ原子を含有でき；
Ｒ７及びＲ８は等しいか又は互いに異なり、水素原子又はＣ１−Ｃ４０炭化水素基であり、場合により、元素の周期律表の１３〜１７族に属するヘテロ原子を含有できる。］；
ｂ）  ラセミ（ｒａｃ）体又はラセミ−様体の式(Ib)の少なくとも１種のメタロセン化合物：
【化３】
2008506825.tif 000003
（式中、Ｒ１、Ｒ２、Ｔ、Ｌ、Ｍ、Ｘ及びｐは上記の通りである。）、ここで、記号＊を記した原子は式(IIa)、(IIb)又は(IIc)の成分中の同じ記号を記した原子と結合し；及び
ｃ）  アルモキサン又はアルキルメタロセンカチオンを形成できる化合物；
を接触させることにより得ることができる、前記１−ブテンポリマーの製造方法。
【請求項２】
ラセミ体又はラセミ様体（式(Ib)の化合物）及びメソ体又はメソ様体（式(Ia)の化合物）間の比率が、１０：９０〜９０：１０である、請求項１に記載の方法。
【請求項３】
水素又はエチレンの存在下で前記方法を行う、請求項１又は２に記載の方法。
【請求項４】
０℃のキシレンを使用することによりフラクション化できる１−ブテンポリマーであって、キシレン中に可溶性のフラクション（成分ａ）はアタクチックホモポリマー、又はエチレン、プロピレン若しくは１種以上の式ＣＨ２＝ＣＨＺのαオレフィン（式中、上述した通りの、ＺはＣ３−Ｃ１０アルキル基である）から選択されるαオレフィンの誘導単位を含有するアタクチック１−ブテンコポリマーであり、下記
ｉ）      分子量分布Ｍｗ／Ｍｎが４以下であり；
ｉｉ）    １３Ｃ−ＮＭＲにより測定されるｒｒトリアドが１５％〜３５％であり；
ｉｉｉ）  示差走査熱量計（ＤＳＣ）で検出できる融解エンタルピーはなく；
ｉｖ）    １３５℃でテトラヒドロナフタレン（ＴＨＮ）中で測定した極限粘度（ＩＶ）が１．０ｄｌ／ｇ〜５．０ｄｌ／ｇであり；そして
ｖ）      ０．５％未満の赤外結晶度；
の特徴を有する上記キシレン中に可溶性のフラクション（成分ａ））であり、
０℃におけるキシレン不溶性フラクションは、イソタクチック１−ブテンホモポリマー、又はエチレン、プロピレン若しくは１種以上の式ＣＨ２＝ＣＨＺ（式中、ＺはＣ３−Ｃ１０アルキル基から選択されるαオレフィンの誘導単位を含有する、イソタクチック１−ブテンコポリマーであり、下記
ｉ）      分子量分布Ｍｗ／Ｍｎが４以下であり：
ｉｉ）    １３ＣＮＭＲにより測定したイソタクチックｍｍｍｍトリアドが９０％よりも高く；そして
ｉｉｉ）  １３５℃でテトラヒドロナフタレン（ＴＨＮ）中で測定した極限粘度（ＩＶ）が１．０ｄｌ／ｇ〜５．０ｄｌ／ｇである； 
の特徴を有する上記キシレン不溶性フラクション（成分ｂ））である、前記０℃のキシレンを使用することによりフラクション化できる１−ブテンポリマー。
【請求項５】
アタクチック成分ａ）の極限粘度（ＩＶ）が、イソタクチック成分ｂ）の極限粘度（ＩＶ）の７０％よりも高い、請求項４又に記載の１−ブテンポリマー。
【手続補正書】
【提出日】平成20年6月16日(2008.6.16)
【手続補正１】
【補正対象書類名】特許請求の範囲
【補正対象項目名】全文
【補正方法】変更
【補正の内容】
【特許請求の範囲】
【請求項１】
少なくとも成分（Ａ）および（Ｂ）を含んでなる結合剤系であって、
ａ）成分（Ａ）として、少なくとも２つの環状カーボネート基を有する化合物または２以上の少なくとも２つの環状カーボネート基を有する化合物の混合物と、
ｂ）成分（Ｂ）として、少なくとも２つの（−ＮＨＲ−）原子団を有する化合物または２以上の少なくとも２つの（−ＮＨＲ−）原子団を有する化合物の混合物〔式中、ＲはＨ、アルキル基またはアリール基である〕とを含んでなり、
成分（Ａ）は、≧１，０００ｇ／ｍｏｌの平均分子量（Ｍｎ）を有する、結合剤系。
【請求項２】
成分（Ａ）は、１，５００ｇ／ｍｏｌ〜１００，０００ｇ／ｍｏｌの平均分子量（Ｍｎ）を有する、請求項１に記載の結合剤系。
【請求項３】
成分（Ａ）は、環状カーボネート基を有するポリマーであり、該ポリマーは、脂肪化合物、ポリエーテル、ポリエーテルポリオール、ポリエステル、ポリエステルポリオール、ポリカーボネート、ポリカルボン酸、ポリアクリレート、ポリメタクリレート、ポリアミド、ポリアミン、ポリウレタンまたはそれらの混合物の群から選択される、請求項１または２に記載の結合剤系。
【請求項４】
成分（Ａ）は、環状ヒドロキシアルキルカーボネートと、無水物基、Ｃ１〜Ｃ４アルキルエステル基またはイソシアネート基を有するポリマーとの反応生成物である、請求項１〜３のいずれかに記載の結合剤系。
【請求項５】
環状ヒドロキシアルキルカーボネートは、５員または６員のカーボネート環を有する、請求項４に記載の結合剤系。
【請求項６】
成分（Ａ）は、エポキシド基を有するポリマーへの二酸化炭素の付加生成物である、請求項１または２に記載の結合剤系。
【請求項７】
成分（Ａ１）として、＜１０００ｇ／ｍｏｌの平均分子量を有する環状カーボネート基を有する化合物が、成分（Ａ）に基づいて６０重量％の量でさらに存在する、請求項１〜６のいずれかに記載の結合剤系。
【請求項８】
成分（Ｂ）は、成分（Ｂ１）として、６０ｇ／ｍｏｌ〜５００ｇ／ｍｏｌの平均分子量（Ｍｎ）を示し、または成分（Ｂ２）として、≧５００ｇ／ｍｏｌの平均分子量（Ｍｎ）を示し、ここで成分（Ｂ）は、成分（Ｂ１）または（Ｂ２）のいずれかとして、あるいは（Ｂ１）と（Ｂ２）との混合物として存在する、請求項１〜７のいずれかに記載の結合剤系。
【請求項９】
成分（Ｂ２）は、８００ｇ／ｍｏｌ〜２，０００，０００ｇ／ｍｏｌの平均分子量（Ｍｎ）を有する、請求項８に記載の結合剤系。
【請求項１０】
成分（Ｂ１）は、アルキレンジアミン、シクロアルキレンジアミン、アミノ官能化ポリアルキレングリコールおよび／または多官能性アミンの群から選択される、請求項８に記載の結合剤系。
【請求項１１】
成分（Ｂ２）は、ポリアミン、ポリイミン、ポリエーテル、ポリアミド、ポリアミノアミド、ポリウレタン、ポリオレフィン、ポリビニルアミンまたはそれらの混合物の群から選択されるポリマーである、請求項８または９に記載の結合剤系。
【請求項１２】
成分（Ｂ２）は、高分枝状ポリマーを示す、請求項８または９に記載の結合剤系。
【請求項１３】
請求項１〜１２のいずれかに記載の結合剤系を使用する接着剤／シーラントの製造方法であって、成分（Ａ）を、３０：１〜０．２：１のカーボネート基と第１級アミン基との比率で成分（Ｂ）と混合することを含む（ここで第１級アミン基の非存在下においては、該混合比率は、第２級アミン基に対して適用される）、方法。
【請求項１４】
紙、ボール紙、木材、プラスチック、金属または陶器を接着するための２成分接着剤としての、請求項１〜１２のいずれかに記載の結合剤系の使用。
【請求項１５】
溶媒非含有または溶媒含有積層接着剤としての、請求項１４に記載の結合剤系の使用。
【請求項１６】
建築用発泡体または流動性シーリング化合物を製造するための、請求項１４に記載の結合剤系の使用。
【請求項１７】
複合フィルムの製造方法であって、少なくとも２つの同一または異なるプラスチックフィルムを、請求項１〜１２のいずれかに記載の結合剤系を使用して部分的にまたは完全に接着することを含む、方法。
【請求項１８】
請求項１７に記載の方法で製造された複合フィルム。
【手続補正書】
【提出日】平成20年4月16日(2008.4.16)
【手続補正１】
【補正対象書類名】特許請求の範囲
【補正対象項目名】請求項４１
【補正方法】変更
【補正の内容】
【請求項４１】
相乗剤を更に含み、前記相乗剤は、リン酸エステル化合物、リン化合物、流動促進剤及びそれら組成物から選択される、請求項４０に記載の使用。
【手続補正２】
【補正対象書類名】特許請求の範囲
【補正対象項目名】請求項４６
【補正方法】変更
【補正の内容】
【請求項４６】
発泡ポリスチレンにＰＢＢ−Ｂｒを有効量添加することを含む、発泡ポリスチレンの難燃化方法。
【手続補正書】
【提出日】平成20年7月15日(2008.7.15)
【手続補正１】
【補正対象書類名】特許請求の範囲
【補正対象項目名】全文
【補正方法】変更
【補正の内容】
【特許請求の範囲】
【請求項１】
汚染制御装置の内側に汚染制御要素を取り付けるのに好適な取付システムであって、
汚染制御装置で使用するのに好適な繊維材料を含み、厚さを有するマットと、
前記取付システムが前記汚染制御装置で使用された場合に、前記汚染制御要素の外周面と接触するように、前記マットの接触面に配置された無機の微粒子と
を含み、
前記微粒子は、耐熱性を有し、かつ前記マットの接触面と前記汚染制御要素の外周面との間の摩擦係数を増加させることができる、取付システム。
【請求項２】
前記微粒子が、前記マット中に含まれる全内容物の少なくとも７０％の含有量で、前記マットの前記表面から、前記マットをその厚さ方向で観察した場合に５０％の深さまでの範囲の下部領域に含まれる、請求項１に記載の取付システム。
【請求項３】
前記マットをその厚さ方向で観察した場合に、前記微粒子が、前記マットの前記表面に向かって濃度が増加するように分散している、請求項１に記載の取付システム。
【請求項４】
前記微粒子が研磨材料からなる、請求項１〜３のいずれか１項に記載の取付システム。
【請求項５】
前記微粒子が、ＪＩＳ  Ｒ６００１によって規定される研磨剤粒度に関して約Ｆ１，２００〜約Ｆ６０の範囲内の粒度を有する、請求項１〜３のいずれか１項に記載の取付システム。
【請求項６】
ケーシングと、前記ケーシングの内部に配置された汚染制御要素と、請求項１〜５のいずれか１項に記載の取付システムとを含む汚染制御装置であって、前記ケーシング内の所望の位置に前記汚染制御要素を保持するように前記取付システムが、前記ケーシングと前記汚染制御要素との間に配置されている、汚染制御装置。
【請求項７】
前記汚染制御要素が触媒担体又はフィルターエレメントである、請求項６に記載の汚染制御装置。
【請求項８】
請求項６又は７に記載の汚染制御装置を含む、内燃機関用排気システム。
【手続補正書】
【提出日】平成20年7月16日(2008.7.16)
【手続補正１】
【補正対象書類名】特許請求の範囲
【補正対象項目名】請求項３
【補正方法】変更
【補正の内容】
【請求項３】
（a）液相の作動流体を、廃熱を生成するプロセスと連通している熱交換器を通過させ；
（b）前記熱交換器から蒸気相の作動流体を取り出し；
（c）前記蒸気相の作動流体を膨張器に通して、そこで前記廃熱を機械的エネルギーに変換させ；そして
（d）前記蒸気相の作動流体を前記膨張器から凝縮器へ通し、そこにおいて前記蒸気相の作動流体を前記液相の作動流体に凝縮させる；
ことを含む廃熱を回収するための方法であって、
前記作動流体が次の構造を有する化合物の少なくとも１つを含む、方法：
【化２】
2008506819.tif 000001
ここでx、y、zおよびmはそれぞれフッ素、水素、Rf およびRからなる群から選択され、RとRf はそれぞれ炭素原子が１〜６のアルキル、アリールまたはアルキルアリールであり、そしてRf は部分的にまたは完全にフッ素化されており、
前記化合物は式Cx’Fy’Hz’ を有し、ここでx’は１２−bであって、bは約０〜約６の整数であり、y’は２x’−z’であり、そしてx’/２と２x’/３について整数に等しいときは、z’は２x’/３であり；x’/２と３x’/４について整数に等しいときは、z’は３x’/４であり；x’/２について整数に等しくないときは、z’はx’−２であり；x’/２とx’/５について整数に等しいときは、z’はx’−３である。
【手続補正書】
【提出日】平成20年7月11日(2008.7.11)
【手続補正１】
【補正対象書類名】特許請求の範囲
【補正対象項目名】全文
【補正方法】変更
【補正の内容】
【特許請求の範囲】
【請求項１】
１つより多くの繰り返し単位、
少なくとも４つのＳｉ−アリーレン結合、
少なくとも１つの（メタ）アクリレート部分、
０個のＳｉ−Ｏ結合、および、
各繰り返し単位で１つのアリーレン基によって分離されている２つのケイ素原子、
を有する、カルボシラン含有ポリマー。
【請求項２】
次式（Ｉ）
【化１】
2008506816.tif 000001
（式中、
各Ａｒは独立してアリーレン基であり、
各Ｒは独立して任意に１つ以上のＯ、Ｂｒ、Ｃｌ若しくはＳｉ原子又はこれらの組み合わせを含む、脂肪族基、脂環式基、又はこれらの組み合わせであり、二環式基を含んでもよく、
各Ｑは独立して単結合、又は、任意に１つ以上のＯ、Ｂｒ、Ｃｌ若しくはＳｉ原子又はこれらの組み合わせを含む、脂肪族基、脂環式基、芳香族基、又はこれらの組み合わせであり、二環式基を含んでもよく、ここで、Ｑは任意に１つ以上の（メタ）アクリレート基を含み、
各Ｒ1〜Ｒ4基は独立して、任意に１つ以上の（メタ）アクリレート基で置換されている、脂肪族基、脂環式基、芳香族基、又はこれらの組み合わせであり、
各Ｒ5〜Ｒ6基は独立して、水素、任意に１つ以上の（メタ）アクリレート基で置換されている、脂肪族基、脂環式基、芳香族基、又はこれらの組み合わせであり、そして
ｎは１より大きい。）
を有する、請求項１に記載のポリマー。
【請求項３】
請求項１または２に記載のカルボシラン含有ポリマーおよび開始剤系を含む、歯科用組成物。
【手続補正書】
【提出日】平成20年6月5日(2008.6.5)
【手続補正１】
【補正対象書類名】特許請求の範囲
【補正対象項目名】全文
【補正方法】変更
【補正の内容】
【特許請求の範囲】
【請求項１】
各々が少なくとも２つの編み区画を有する複数の指構成部品を編むステップと、
親指構成要素の少なくとも２つの区画を編むステップと、
掌構成部品の少なくとも２つの区画を編むステップと、
手首構成部品の少なくとも１つの区画を編むステップと
を含み、前記構成要素のうちの一つの１区画を編むステップが、
複数の編み目を編んでコースを形成するステップと、
複数のコースを組み合わせて区画を形成するステップと、
少なくとも１つのコースの中の少なくとも３つの編み目または少なくとも１つの区画の中の少なくとも３つの編み目の編み目寸法を、第１の寸法から第２の寸法、第３の寸法に変えるステップと、
を含み、これにより、個々の指および手のサイズおよび形状の変化に対応する全体的な形状を有する手袋をもたらす、編み手袋を製造する方法。
【請求項２】
請求項１に記載の方法であって、前記編み目寸法を変えるステップは、さらに、編み機と組み合わせられるプログラム可能なコンピュータを使用するステップを含む、方法。
【請求項３】
請求項２に記載の方法であって、前記プログラム可能なコンピュータを使用するステップは、少なくとも１つの編み目の編み目寸法を変えるために編み針の深さを制御するステップを含む、方法。
【請求項４】
請求項２に記載の方法であって、前記プログラム可能なコンピュータを使用するステップは、少なくとも１つの編み目の編み目寸法を変えるために編みヘッドとピンチローラとの間の編み糸の張力を制御するステップを含む、方法。
【請求項５】
請求項４に記載の方法であって、前記張力を制御するステップは、螺旋ばねに接続されるステッピングモータを調整するステップを含む、方法。
【請求項６】
請求項４に記載の方法であって、前記プログラム可能なコンピュータを使用するステップは、さらに、供給ローラを駆動するステップを含む、方法。
【請求項７】
請求項２に記載の方法であって、前記編み目寸法を変えるステップは、手袋の区画の所望の形状に応じて、少なくとも１つのコースにおいて、１つまたは複数の編み目をとめるまたは追加の編み目を増すステップを含む、方法。
【請求項８】
請求項１に記載の方法であって、前記編み目寸法を変えるステップは、さらに、前記編み目寸法を第３の寸法から第２の寸法を介して第１の寸法に戻すように編み目寸法を変えるステップを含む、方法。
【請求項９】
請求項１に記載の方法であって、前記編み目寸法を変えるステップは、さらに、第１の寸法から第２の寸法を介して第３の寸法へ直線的に編み目寸法を変えるステップを含む、方法。
【請求項１０】
編み手袋であって、
ｉ）各々が少なくとも２つの別々の編み区画を有する複数の指構成部品と、
ｉｉ）少なくとも２つの別々の編み区画を有する親指構成部品と、
ｉｉｉ）少なくとも２つの別々の編み区画を有する掌構成部品と、
ｉｖ）少なくとも１つの編み区画を有する手首構成部品と
を含み、
上記編み区画のうちの一つが、３つの異なる編み目寸法を有する、編み手袋。
【請求項１１】
請求項１０に記載の編み手袋であって、該編み手袋が、高強度の合成繊維を含む糸から編まれる、編み手袋。
【請求項１２】
請求項１１に記載の編み手袋であって、前記合成繊維は、アラミド、ポリエチレン、液晶高分子化合物、またはこれらの組合せを含む、編み手袋。
【請求項１３】
請求項１０に記載の編み手袋であって、該編み手袋は、エラストマー高分子化合物材料によって被覆される、編み手袋。
【請求項１４】
請求項１３に記載の編み手袋であって、前記エラストマー高分子化合物材料が、天然ゴムラテックスおよび合成ゴムラテックスからなる群から選択される、編み手袋。
【請求項１５】
請求項１０に記載の編み手袋であって、前記複数の指構成部品は、各々、３つの別々の編み区画からなり、前記編み区画のうちの少なくとも２つが、各々、３つの異なる編み目寸法を有する、編み手袋。
【請求項１６】
請求項１０に記載の編み手袋であって、前記掌構成部品は、３つの別々の編み区画からなり、前記編み区画のうちの少なくとも１つが、３つの異なる編み目寸法を有する、編み手袋。
【請求項１７】
請求項１０に記載の編み手袋であって、前記親指構成部品は、３つの別々の編み区画からなり、前記編み区画のうちの少なくとも２つが、各々、３つの異なる編み目寸法を有する、編み手袋。
【手続補正２】
【補正対象書類名】明細書
【補正対象項目名】００２０
【補正方法】変更
【補正の内容】
【００２０】
この発明の手袋２００は、編み機で編むことができ、この１９の区画の各々に対しその機械のプログラミングを必要とする。例えば、この手袋２００は、表１に提供される仕様に従って作ることができる。構成部品の各々が表示され、図２に一致する区画が示されている。コースは各構成部品に対して１で開始し区画を通して続くことに注目されたい。この編み目設定は、ここではどれくらい深く編み針を侵入させるかを示す番号を示す。より低い番号はより少ない針侵入度を表示し、より大きな番号は針がより深く侵入することを表示する。例えば、小指である構成部品１では、第１のコースはコース１で編み針侵入深さ３７を有し、次第に直線的にコース３９のところで編み針侵入深さ３９に増加する。これは、コース１はコース２２より伸縮するのによりタイトで、手袋に対してタイトな指縁部を有する手袋によって小指がおおわれていることを意味する。構成部品１の第２の区画は、編み針の侵入深さを維持して、同じ編み目設定３９で継ぎ目なく続く。
【手続補正３】
【補正対象書類名】明細書
【補正対象項目名】００２１
【補正方法】変更
【補正の内容】
【００２１】
【表１】
2008506863.tif 000001
【手続補正４】
【補正対象書類名】図面
【補正対象項目名】図１
【補正方法】変更
【補正の内容】
【図１】
2008506863.tif 000002
【手続補正書】
【提出日】平成20年7月4日(2008.7.4)
【手続補正１】
【補正対象書類名】特許請求の範囲
【補正対象項目名】全文
【補正方法】変更
【補正の内容】
【特許請求の範囲】
【請求項１】
ａ）物理蒸着（ＰＶＤ）により調製される多孔質ＳｉＯz（ここで、０．７０≦ｚ≦２．
０）フレークであって、前記孔中に
ｂ）光安定剤、熱安定剤、金属奪活剤、加工安定剤、酸捕捉剤、ブロッキング防止剤、防曇剤、帯電防止剤、難燃剤、親水性の／疎水性の表面改良剤、赤外線反射剤、赤外線吸収剤、核剤、引掻抵抗剤及び熱伝導剤からなる群より選択されるポリマー添加剤
を少なくとも部分的に取り込んでいるフレークを含む、組成物。
【請求項２】
前記ポリマー添加剤は、光安定剤、熱安定剤、加工安定剤、難燃剤、核剤及び帯電防止剤からなる群より選択される、請求項１に記載の組成物。
【請求項３】
ａ）水に又は有機溶媒に又はそれらの混合物にＳｉＯzフレークを懸濁すること、
ｂ）溶解されたか又は分散された請求項１に記載のポリマー添加剤を、前記ＳｉＯz懸濁
液に添加すること、及び
ｃ）ポリマー添加剤含有のＳｉＯz（ここで、０．７０≦ｚ≦２．０）フレークを単離す
ること、
からなる、請求項１に記載のポリマー添加剤含有のＳｉＯzフレークを調製する方法。
【請求項４】
ａ）熱可塑性ポリマー、弾性ポリマー又は部分架橋されたポリマー；
ｂ）物理蒸着により調製された多孔質ＳｉＯz（ここで、０．７０≦ｚ≦２．０）フレー
クであって、前記孔中に
ｃ）光安定剤、熱安定剤、加工安定剤、酸捕捉剤、ブロッキング防止剤、防曇剤、帯電防止剤、難燃剤、親水性の／疎水性の表面改良剤、赤外線反射剤、赤外線吸収剤、核剤、引掻抵抗剤及び熱伝導剤からなる群より選択されるポリマー添加剤
を少なくとも部分的に取り込んでいるフレークを含む組成物。
【請求項５】
前記成分ａ）のポリマーは、ポリエチレン（例えばＬＤＰＥ、ＨＤＰＥ又はＭＤＰＥ）、ポリプロピレン、ポリ塩化ビニル（ＰＶＣ）、アクリロニトリル−ブタジエン−スチレンコポリマー（ＡＢＳ）、ナイロン、ポリエステル、不飽和ポリエステル（ＵＰ）、塩化ポリビニリデン、ポリアミド、スチレン−アクリロニトリルコポリマー（ＳＡＮ）、ポリスチレン（ＰＳ）、ポリメチルメタクリレート（ＰＭＭＡ）、ポリエチレンテレフタレート
（ＰＥＴ）、ポリアセタール、ポリビニルアルコール、ポリカーボネート、アクリル樹脂、フッ素樹脂、ポリウレタン（ＰＵＲ）、熱可塑性ポリウレタン（ＴＰＵ）、フェノール樹脂、尿素樹脂、メラミン樹脂、不飽和ポリエステル樹脂、エポキシ樹脂、ウレタン樹脂、レーヨン、尿素ホルムアルデヒド樹脂（ＵＦ）、銅アンモニアレーヨン、アセテート、トリアセテート、ビニリデン、天然又は合成ゴムのような熱可塑性又は熱硬化性樹脂、或いは、親液性塗料、ラッカー、ワニス、及びアルキル樹脂型、アミノアルキド樹脂型、ビニル樹脂型、アクリル樹脂型、エポキシ樹脂型、ウレタン樹脂型、粉体型、塩素化ゴム型、又はフェノール系塗料のような塗料である、請求項４に記載の組成物。